(57)【特許請求の範囲】
【請求項１】
掛け布団を収納する布団カバーの一側に沿って複数の結び紐を離間して固定し、前記結び紐をベッド一側に設けた係止部に結びつけることにより掛け布団のずり落ちを防止する布団カバーを使用したベッド用掛け具ずり落ち防止装置において、前記布団カバーの下側に配置される掛け毛布の表側一側に沿って、該布団カバーの結び紐位置に対応して複数の紐通し部を設け、前記布団カバーの結び紐を該掛け毛布の対応する紐通し部を通した後、前記係止部に結びつけることにより、布団カバーと掛け毛布とを同時にベッドに保持することを特徴とするベッド用掛け具ずり落ち防止装置。
【請求項２】
掛け布団を収納する布団カバーの一側に沿って複数の結び紐を離間して固定し、前記結び紐をベッド一側に設けた係止部に結びつけることにより掛け布団のずり落ちを防止する布団カバーを使用したベッド用掛け具ずり落ち防止装置において、前記布団カバーの上側に配置されるベッドカバーの裏側一側に沿って、該布団カバーの結び紐位置に対応して複数の紐通し部を設け、前記布団カバーの結び紐を該ベッドカバーの対応する紐通し部を通した後、前記係止部に結びつけることにより、布団カバーとベッドカバーとを同時にベッドに保持することを特徴とするベッド用掛け具ずり落ち防止装置。
【請求項３】
前記結び紐は長尺状の紐の中間部を布団カバーに固定してなる請求項１または２の装置。
【請求項４】
前記結び紐は、布団カバーの頭部側、中間部、足部側の三カ所に固定されていることを特徴とする請求項１または２のいずれかによる装置。
【請求項５】
前記係止部は、ベッド一側の枠板に離間して結びつけた複数のループ状紐またはパイプベッドあるいは収納式ベッド一側のパイプからなる請求項１または２の装置。
【請求項６】
掛け布団を収納する布団カバーの一側に沿って複数のベルトの基端部を固定し、該ベルトはその基端部と先端部との間に相互に係合される係合用テープを有し、前記ベルトの基端部に該ベルトの先端部を収納する少なくとも一つのベルト通し部を設け、前記ベルトをベッド一側の係止部を通した後前記係合用テープを相互に係合し、さらにベルト先端部をベルト通し部を通すことにより、掛け布団のずれ落ちを防止する布団カバーを使用したベッド用掛け具ずり落ち防止装置において、前記布団カバーの下側に配置される掛け毛布の表側一側に沿って、該布団カバーのベルト位置に対応して複数のリング状のベルト通し部を設け、前記布団カバーのベルトを該掛け毛布の対応するベルト通し部を通した後、前記係合用テープを相互に係合し、さらにベルト先端部をベルト基端部のベルト通し部を通すことにより、布団カバーと掛け毛布とを同時にベッドに保持することを特徴とするベッド用掛け具ずり落ち防止装置。
【請求項７】
掛け布団を収納する布団カバーの一側に沿って複数のベルトの基端部を固定し、該ベルトはその基端部と先端部との間に相互に係合される係合用テープを有し、前記ベルトの基端部に該ベルトの先端部を収納する少なくとも一つのベルト通し部を設け、前記ベルトをベッド一側の係止部を通した後前記係合用テープを相互に係合し、さらにベルト先端部をベルト通し部を通すことにより、掛け布団のずれ落ちを防止する布団カバーを使用したベッド用掛け具ずり落ち防止装置において、前記布団カバーの上側に配置されるベッドカバーの裏側一側に沿って、該布団カバーのベルト位置に対応して複数のリング状のベルト通し部を設け、前記布団カバーのベルトを該ベッドカバーの対応するベルト通し部を通した後、前記係合用テープを相互に係合し、さらにベルト先端部をベルト基端部のベルト通し部を通すことにより、布団カバーとベッドカバーとを同時にベッドに保持することを特徴とするベッド用掛け具ずり落ち防止装置。
【請求項８】
前記係止部は、ベッド一側の枠板に離間して結びつけられた複数のループ状紐またはベッド一側のパイプからなる請求項６または７の装置。
【発明の詳細な説明】
【０００１】
【産業上の利用分野】
本発明は、布団カバーを利用したベッド用掛け具のずり落ち防止装置に関し、とくにベッド用の掛け布団、掛け毛布、ベッドカバー等の掛け具のずり落ちを構造簡単にして確実に防止できる布団カバーを利用したベッド用掛け具のずり落ち防止装置に関する。
【０００２】
【従来の技術】
掛け布団等ベッド用の掛け具が就寝中にずり落ちると、寒さで安眠を妨げられたり、寝冷えをしたり、風邪を引いたりするため、就寝者または周囲の者が夜中に幾度も掛け具を掛け直さざるを得ず、就寝者のみならず周囲の者の安眠をも妨げることとなる。特に、老人や子供の場合は、自分で掛け直すことが困難であるため周囲の者の気遣いは大変であり、神経質な人は不眠症になる場合もある。
【０００３】
このため、従来、ベッド用の掛け具が就寝中にずり落ちるのを防止すべく種々の提案がなされているが、いずれも就寝者にとって窮屈であったり、構造が複雑であったり、あるいは構造簡単ではあるがずり落ち防止機能が不十分であるなど実用に耐えるものはなかった。
【０００４】
例えば、ベッドメークの際に、単に毛布等をベッド本体の下に挟み込んだ場合は、シーツと毛布との間の空間が狭く、寝返り等を自由に打つことができないために、就寝者にとって極めて窮屈となる。このため、しばしば、就寝者は寝る前に毛布等をベッドの下から引っぱり出して就寝することとなり、結局は就寝中の掛け具のずり落ちを防止することができない。
【０００５】
また、掛け布団両側部にローラやリング等を取り付け、該ローラやリング等をベッド両側部に沿って取り付けたレールや案内棒に沿って移動することにより、掛け布団のずり落ちを防止しながら掛け布団を掛けたり外したりできるものがあるが、これはベッドや掛け布団への大がかりな改変を必要とし構造が複雑となるばかりではなく、レールや案内棒への取り付け、取り外しが面倒であるため布団を干すなどの日常的な取り扱いが不便であり、また掛け布団にローラやリングを取り付けてあるため洗濯が困難である。
【０００６】
さらに、ベルトの一端に掛け布団のー部を挟み込む挟み金具を取り付け、該ベルトの他端を紐またはマジックテープ（登録商標）によりベッドの脚部または側板上に固定することにより掛け布団とベッドとの間を連繋して掛け布団のずり落ちを防止を図ったものもあるが、これは構造簡単ではあるが、挟み金具やマジックテープが就寝中に容易に外れてしまうため、ずり落ち防止機能が不十分であり実用に耐えない。
【０００７】
【発明が解決しようとする課題】
本発明は、上記従来の欠点を除去すべくなされたものであって、このため本発明は、構造簡単で、取り扱いが容易であり、しかも就寝者への圧迫感が無く、かつ掛け具のずり落ちを確実に防止できる布団カバーを利用したベッド用掛け具のずり落ち防止装置を提供することを目的とする。
【０００８】
【課題を解決するための手段】
上記目的を達成するため本発明によるずり落ち防止装置に使用される布団カバーは、  掛け布団を収納する布団カバーの一側に沿って複数の結び紐を離間して固定し、前記結び紐をベッド一側に設けた係止部に結びつけることにより掛け布団のずり落ちを防止する布団カバーを使用したベッド用掛け具ずり落ち防止装置において、前記布団カバーの下側に配置される掛け毛布の表側一側に沿って、該布団カバーの結び紐位置に対応して複数の紐通し部を設け、前記布団カバーの結び紐を該掛け毛布の対応する紐通し部を通した後、前記係止部に結びつけることにより、布団カバーと掛け毛布とを同時にベッドに保持することを特徴とする。
また、本発明によるずり落ち防止装置に使用される布団カバーは、掛け布団を収納する布団カバーの一側に沿って複数の結び紐を離間して固定し、前記結び紐をベッド一側に設けた係止部に結びつけることにより掛け布団のずり落ちを防止する布団カバーを使用したベッド用掛け具ずり落ち防止装置において、前記布団カバーの上側に配置されるベッドカバーの裏側一側に沿って、該布団カバーの結び紐位置に対応して複数の紐通し部を設け、前記布団カバーの結び紐を該ベッドカバーの対応する紐通し部を通した後、前記係止部に結びつけることにより、布団カバーとベッドカバーとを同時にベッドに保持することを特徴とする。
【０００９】
また、本発明によるずり落ち防止装置に使用される布団カバーは、掛け布団を収納する布団カバーの一側に沿って複数のベルトの基端部を固定し、該ベルトはその基端部と先端部との間に相互に係合される係合用テープを有し、前記ベルトの基端部に該ベルトの先端部を収納する少なくとも一つのベルト通し部を設け、前記ベルトをベッド一側の係止部を通した後前記係合用テープを相互に係合し、さらにベルト先端部をベルト通し部を通すことにより、掛け布団のずれ落ちを防止する布団カバーを使用したベッド用掛け具ずり落ち防止装置において、前記布団カバーの下側に配置される掛け毛布の表側一側に沿って、該布団カバーのベルト位置に対応して複数のリング状のベルト通し部を設け、前記布団カバーのベルトを該掛け毛布の対応するベルト通し部を通した後、前記係合用テープを相互に係合し、さらにベルト先端部をベルト基端部のベルト通し部を通すことにより、布団カバーと掛け毛布とを同時にベッドに保持することを特徴とする。
また、本発明によるずり落ち防止装置に使用される布団カバーは、掛け布団を収納する布団カバーの一側に沿って複数のベルトの基端部を固定し、該ベルトはその基端部と先端部との間に相互に係合される係合用テープを有し、前記ベルトの基端部に該ベルトの先端部を収納する少なくとも一つのベルト通し部を設け、前記ベルトをベッド一側の係止部を通した後前記係合用テープを相互に係合し、さらにベルト先端部をベルト通し部を通すことにより、掛け布団のずれ落ちを防止する布団カバーを使用したベッド用掛け具ずり落ち防止装置において、前記布団カバーの上側に配置されるベッドカバーの裏側一側に沿って、該布団カバーのベルト位置に対応して複数のリング状のベルト通し部を設け、前記布団カバーのベルトを該ベッドカバーの対応するベルト通し部を通した後、前記係合用テープを相互に係合し、さらにベルト先端部をベルト基端部のベルト通し部を通すことにより、布団カバーとベッドカバーとを同時にベッドに保持することを特徴とする。
【００１０】
また、本発明によるベッド用掛け具ずり落ち防止装置は、前記結び紐をベッド一側の係止部、例えばベッド一側の枠板に離間して結びつけた複数のループ状紐、またはベッド一側のパイプ、に直接結びつけることにより掛け布団と掛け毛布、または掛け布団とベッドカバーのずり落ちを防止することを特徴とする。
【００１１】
さらに、本発明によるベッド用掛け具ずり落ち防止装置は、前記ベルトをベッド一側の係止部、例えばベッド一側の枠板に離間して結びつけた複数のループ状紐、またはベッド一側のパイプまわり、に通した後係合用テープを相互に係合し、さらにベルト先端部をベルト通し部に通すことにより、掛け布団と掛け毛布、または掛け布団とベッドカバーのずれ落ちを防止することを特徴とする。
【００１２】
【作用】
本発明においては、掛け布団それ自体ではなく、掛け布団を収納する布団カバーに固定した複数の結び紐をベッド一側の係止部、例えばベッド一側の枠板に結びつけたループ状紐またはパイプベッドのパイプに結びつけることにより、或いは布団カバーに固定した複数のベルトを上記係止部を通した後係合用テープを相互に係合し、さらにベルト先端部をベルト通し部に通すことにより掛け布団と掛け毛布、または掛け布団とベッドカバーのずり落ちを防止するようにしたので、ベッドおよび掛け布団そのものには全く改変を必要とせず、既存のベッドおよび掛け布団をそのまま使用することができる。
【００１３】
また、ずり落ち防止に必要な手段は、布団カバーに固定された複数の結び紐あるいはベルト、掛け毛布またはベッドカバーに設けた紐通し部あるいはベルト通し部、ベッド側の係止部、例えばベッド一側の枠板に結びつけられた複数のループ状紐だけであるから、構造が極めて簡単であり、安価に製造できる。
【００１４】
また、ベッド用掛け具のベッドへの取り付け、取り外しは、布団カバーに固定された結び紐を掛け毛布またはベッドカバーの紐通し部を通した後、ベッド側の係止部に結んだり、解いたりするだけ、あるいはベルトを掛け毛布またはベッドカバーのベルト通し部を通し、さらに該係止部に通した後係合用テープを相互に係合し、該ベルト先端部をベルト通し部に通すだけであるから、操作が極めて簡単であり、誰にでも容易にでき、また布団を干す等日常的な取り扱いのために頻繁に取り付けたり取り外すことも容易である。さらに、布団カバーには複数本の結び紐またはベルトが固定されているだけであるから、洗濯もこれまでの布団カバーと同様に容易になし得る。
【００１５】
また、ベッドへの取り付けは、複数の結び紐をベッド側の係止部に結ぶことにより、あるいは複数のベルトを該係止部を通したあと係合用テープを相互に係合し、さらにベルト通しを通すことにより行われるので、結び紐またはベルトが就寝中に外れるおそれがなく、ずり落ちを確実に防止できる。
【００１６】
また、ベッドへの取り付けは、結び紐またはベルトの長さを適宜調節しながらベッド側係止部に取り付けることが出来るので、ベッドのサイズや種類に拘わらず取り付けが可能である。
【００１７】
さらに、本発明においては、布団カバーをベッドの一側だけに固定し、ベッドへの出入り口となるベッドの他側側、頭側および足側の三方は自由であるので、ベッドへの出入りが容易であり、また就寝者への束縛感もない。
【００１８】
また、上記のように三方が自由となっているので、就寝中に暑くなったときなど必要ある場合には掛け布団を容易にめくることができ、逆に寒くなった場合には容易に掛けることもできる。
【００１９】
【実施例】
以下、本発明の好適な実施例を添付図面に沿って説明する。
【００２０】
図１ないし図５は、本発明による布団カバーを利用したベッド用掛け具ずり落ち防止装置に使用される布団カバーおよびベッドの一実施例を示すものであって、該実施例による布団カバーは、袋状の布団カバー１の一側に沿って三本の結び紐３を離間して固定したものである。布団カバー１は布団挿入口にファスナー１aを備えた市販の布製のものであればいずれも使用することができ、また、結び紐３は長尺状で、柔軟性および強度を有するものであれば、布製、合成樹脂製、ゴム紐等いずれであってもよいが、結んだり解いたりするには布製が好適である。該結び紐３を布団カバー１に固定するには、図示のように、長尺状の紐３の中間部３ａを布団カバー１の裏側、表側または袋の内面（図示例では裏側）に縫着し、紐の両端を自由とし、結び付けが容易になっている。
【００２１】
一方、ベッド５側には、上記布団カバー１の結び紐３を結びつけるための係止部が設けられている。該係止部は、例えば図示のような木製ベッドの場合、ベッド一側の枠板７に沿って、上記結び紐３と同間隔にて結びつけられたループ状の三本の紐９から形成することができる。該ループ状の紐９も、布団カバーの結び紐３と同様、長尺状で、柔軟性および強度を有するものであれば、布製、合成樹脂製、ゴム紐等いずれであってもよいが、結んだり解いたりするには布製が好適である。該紐９をベッドの枠板９に結びつけるには、図２に示すように、まずベッド５からマットレスと底板を取り外し、ベッドの枠板７を露出させ、該枠板７まわりに紐９を結びつけた後、図３および図４に示すように、底板１１とマットレス１３を戻すことにより、ループ状の紐９を取り付けることができる。
【００２２】
なお、この際、図２に示すごとく、各ループ状紐９の結び目９ａが枠板７の内側にて底板支持棚１５の下に来るようにすれば、底板１１を戻した際に結び目９aが完全に隠れ見栄えがよい。また、該ループ状の紐９を取り付ける枠板７は、ベッドへの出入り口と反対側、すなわち通常はベッドの窓側または壁側の側板とするのが好ましい。このようにすると、ベッドへの出入り口を邪魔することがなくベッドへの出入りが自由であり、また、マットレス１３を戻したときループ状の紐９がベッドの陰に完全に隠れるためにベッドの外観を損なうことがない。該ループ状の紐９は、一旦ベッドに取り付けられれば、取り外す必要はない。
【００２３】
このように、構成されたものは、図５に示すように、ベッドメークをする際に、布団を収納した布団カバー１を後述する掛け毛布と一緒にベッド５上に設置した後、該布団カバー１の結び紐３をそれぞれベッド５の枠板７に取り付けた対応するループ状紐９に通し、長さを調節した上で結びつけることにより布団カバー１と掛け毛布とをベッド５に簡単に取り付けることができる。
【００２４】
なお、上記布団カバー１をパイプベッドまたは収納式のベッドに適用する場合は、ベッド側の係止部としてベッド一側のパイプをそのまま利用することができるので、上記実施例のようにベッド側にループ状の紐９を結びつける必要が無く、布団カバー１の結び紐３をパイプベッドまたは収納式ベッド一側のパイプに直接結びつけることができる。この場合、ずり落ち防止装置としては、布団カバー１に取り付けられた複数本（図示例では三本）の結び紐３だけであり、構成が著しく簡単になる。
【００２５】
図６および図７は、上記掛け布団を収納した布団カバー１と一緒にベッド５に保持できるようにした布団カバーの下側に配置される掛け毛布１７を示すもので、図示のように、掛け毛布１７の表側一側部または両側部（図示例では両側部）に沿って、布団カバー１の結び紐９に対応する位置に複数のリング状の紐通し部１９が設けられている。
【００２６】
そして、図８に示すように、ベッド５上に掛け毛布１７と布団カバー１とを設置した後、布団カバー１の各二又状の結び紐３の片方を対応する該掛け毛布１７の紐通し部１９に通し、該結び紐をループ状紐９（木製ベッドの場合）またはパイプ（パイプベッドまたは収納式ベッドの場合）に結びつけることにより、掛け布団と同時に掛け毛布をもベッドに保持することができ、就寝中に掛け布団や掛け毛布がずれたりずり落ちたりすることがない。なお、図示のように、紐通し部１９が掛け毛布１７の両側に沿って設けられた場合には、ループ状紐９がベッドのいずれの側にあっても掛け毛布１７を布団カバー１と一緒に取り付けることができる。
【００２７】
図９および図１０は、本発明のさらに他の実施例を示すもので、該実施例のものは、掛け布団を収納した布団カバー１と一緒にその上側に配置されるベッドカバー２１をも同時にベッド５に保持できるようにしたものである。このため、図示のように、ベッドカバー２１の裏側一側部または両側部（図示例では両側部）に沿って、布団カバー１の結び紐３に対応する位置に複数のリング状の紐通し部２３が設けられている。
【００２８】
そして、図１０に示すように、ベッド５上に掛け布団を収納した布団カバー１とベッドカバー２１とを設置した後、布団カバー１の各結び紐３の二又状の片方を対応するベッドカバーの紐通し部２３に通し、該結び紐３をベッド側のループ状紐９（木製ベッドの場合）またはパイプ（パイプベッドまたは収納式ベッドの場合）に結びつけることにより、掛け布団と一緒にベッドカバーをもベッドに保持することができ、就寝中に掛け布団やベッドカバーがずれたりずり落ちたりすることがない。なお、図示のように、紐通し部２３がベッドカバー２１の両側に沿って設けられた場合には、ループ状紐９がベッドのいずれの側にあってもベッドカバー２１を取り付けることができる。
【００２９】
図１１ないし図１４は、本発明のさらに他の実施例を示すもので、該実施例のものは、布団カバー１の一側にに沿って複数の長尺状のベルト２５（図示例では３本）の基端部が縫着等によって固定され、該ベルト２５にはその基端部と中間部とに相互に係合できるマジックテープ(登録商標)２７が取り付けられている。また、該ベルトの基端部には一対のリング状のベルト通し２９が離間してベルト２５と一緒に布団カバー１に取り付けられている。
【００３０】
該実施例において布団カバー１をベッド５に保持するには、該ベルト２５を、図１２に示すように、ベッド５一側の枠板７に離間して結びつけた複数のループ状紐９（木製ベッドの場合）または、図１３に示すように、ベッド５一側のパイプ５aまわり（パイプベッドまたは収納式ベッドの場合）を通した後、図１４に示すように、ベルト通し部２９を通し、同時にマジックテープ２７を相互に係合し、さらに折り返してベルト先端２５aをベルト通し部２９を通すことにより、掛け布団１のずれ落ちを確実に防止することができる。該実施例では、単にマジックテープ２７を相互に係合するだけではなく、さらにベルト２５をベルト通し部２９を通すことにより、使用中にマジックテープが外れるおそれがなく、またベルト２５がベルト通し部に収納されるので、すっきりとまとまっている。
【００３１】
この場合、図示しないが、上記ベルト２５を備えた布団カバー１を、図６および図９の紐通し部に代えてリング状のベルト通し部を設けた掛け毛布またはベッドカバーと組み合わせることにより、布団カバー１と一緒に掛け毛布１７またはベッドカバー２１を同時にベッドに保持することができる。
【００３２】
なお、図示例ではベルト通し部２９は二カ所に設けられているが、一カ所だけでもよい。
【００３３】
さらに、上記実施例ではベッド側の係止部としてベッド一側の枠板に結びつけたループ状紐またはベッド一側のパイプを例示したが、本発明装置に使用できるベッド側の係止部はこれに限定されることなく、例えばベッド一側の枠板またはパイプに固定されたリング状の係止金具等他の係止具を使用してもよい。
【００３４】
【発明の効果】
以上のように、本発明によれば、次のような作用効果が得られる。
【００３５】
１）掛け布団を掛け毛布またはベッドカバーと一緒にベッド上に確実に固定することができる。
２）構造が極めて簡単であり、既存の掛け布団やベッドを改変することなくそのまま利用できる。
【００３６】
３）ベッドへの取り付け、取り外しは、結び紐を結んだり、解くだけ、あるいはマジックテープを相互に係合させるだけの簡単な操作であるので誰にでも、また布団を干すために毎日でも容易になし得る。
【００３７】
４）結び紐またはベルトの長さを調節しながらベッドに取り付けることができるので、ベッドのサイズまたは種類に拘わらず適用可能である。
【００３８】
５）布団カバーに結び紐またはベルトを取り付けただけの簡単な構造であるので、これまでの布団カバーと同様に洗濯が容易である。
【００３９】
６）結び紐をきちんと結び、或いはベルトをマジックテープで相互に係合した上でベルト通し部を通すので、使用中に外れるおそれがない。
【００４０】
７）ベッドの片側だけでベッドへ取り付けられるので、ベッドへの出入り口となる他側側、頭側、足側が拘束されず、ベッドへの出入りが自由であり、また束縛感もない。
【００４１】
８）掛け布団の三方が拘束されていないので、暑いときにめくったり、寒いときに掛けるなどの操作が容易である。
【図面の簡単な説明】
【図１】本発明によるずり落ち防止装置に使用される布団カバーの一実施例を示す平面図である。
【図２】ベッドへのループ状紐の取り付けを示す斜視図である。
【図３】図２のベッドへ底板を戻した状態を示す斜視図である。
【図４】図３のベッドへさらにマットレスを戻した状態を示す側面図である。
【図５】図４のベッドへ図１の布団カバーを取り付けた状態を示す側面図である。
【図６】本発明によるずり落ち防止装置に使用される掛け毛布の一例を示す平面図である。
【図７】図６の側面図である。
【図８】布団カバーと一緒に掛け毛布をベッドに取り付けた状態を示す本発明の一実施例を示す平面図である。
【図９】本発明によるずり落ち防止装置に使用されるベッドカバーの一例を示す底面図である。
【図１０】布団カバーと一緒にベッドカバーをベッドに取り付けた状態を示す本発明の他の実施例を示す部分的側断面図である。
【図１１】本発明のさらに他の実施例によるずり落ち防止装置に使用される布団カバーを示す平面図である。
【図１２】図１１の布団カバーの木製ベッドへの取り付け要領を示す側面図である。
【図１３】図１１の布団カバーのパイプベッドへの取り付け要領を示す部分的側面図である。
【図１４】ベッドへ取り付けた図１１の布団カバーのベルトを示す部分的側面図である。
【符号の説明】
１    布団カバー
３    結び紐
５    ベッド
７    枠板
９    ループ状紐
１１    底板
１３    マットレス
１５    底板支持棚
１７    掛け毛布
１９    紐通し部
２１    ベッドカバー
２３    紐通し部
２５    ベルト
２７    マジックテープ
２９    ベルト通し部
【図１】
0003709118.tif 000002
【図２】
0003709118.tif 000003
【図３】
0003709118.tif 000004
【図４】
0003709118.tif 000005
【図５】
0003709118.tif 000006
【図６】
0003709118.tif 000007
【図７】
0003709118.tif 000008
【図８】
0003709118.tif 000009
【図９】
0003709118.tif 000010
【図１０】
0003709118.tif 000011
【図１１】
0003709118.tif 000012
【図１２】
0003709118.tif 000013
【図１３】
0003709118.tif 000014
【図１４】
0003709118.tif 000015